(57)【要約】【課題】端子金具同士の電気的な接続に係る挿入力を低減して作業性の向上を図る端子接続構造と、この端子接続構造を採用するコネクタとを提供する。【解決手段】雌型端子金具２１を左側に傾けた状態で雄型端子金具２２の上方に配置した後、雌型端子金具２１を下方へ移動させて、雌型端子金具２１における折り曲げ側部２９の端部３６を雄型端子金具２２の切欠部４１に差し込むような状態に配置する。例えば電線２３を持ちつつ電線接続部２７を矢印Ｐ方向へ移動させるように雌型端子金具２１を回動させると、すなわち、折り曲げ側部２９の端部３６を支点として相対的に回動させると、雌型端子金具２１における電気接触部２６の基板部２８と対向部３０とが雄型端子金具２２における電気接触部３９の電気接触部本体４０に挿入される。電気接触部本体４０は、基板部２８と対向部３０とにより挟持される。【選択図】図３
2015050130.tif 000002
【特許請求の範囲】
【請求項１】
一方の端子と他方の端子とを電気的に接続する構造であって、
前記一方の端子は、基板部と、該基板部の側方に沿った折り曲げ側部と、該折り曲げ側部にて折り返されて前記基板部に対向する対向部とを有し、
前記他方の端子は、電気接触部本体と、該電気接触部本体の側方に配置形成されて前記折り曲げ側部の端部が挿入される切欠部とを有し、
前記折り曲げ側部の端部を前記切欠部に挿入した状態で前記一方の端子を前記基板部に沿って前記折り曲げ側部の端部を支点として相対的に回動することで、前記基板部と前記対向部との間に前記電気接触部本体を挟持する
ことを特徴とする端子接続構造。
【請求項２】
請求項１に記載の端子接続構造において、
前記基板部或いは前記対向部と、前記電気接触部本体のいずれか一方に面方向に突出する凸部を有し、いずれか他方には前記凸部に係合する凹部を有する
ことを特徴とする端子接続構造。
【請求項３】
請求項１又は２に記載の端子接続構造において、
前記対向部は、前記折り曲げ側部の端部よりその延出方向に沿って後方へ向かうに従って徐々に拡幅する形状に形成される
ことを特徴とする端子接続構造。
【請求項４】
請求項１、２又は３に記載の端子接続構造に採用される導電性の一方の端子及び他方の端子と、
前記一方の端子及び前記他方の端子をそれぞれ覆う絶縁性の一方のハウジング及び他方のハウジングとを含み、
前記一方のハウジング及び前記他方のハウジングは、前記一方の端子及び前記他方の端子の電気的な接続のための回転機構を有する
ことを特徴とするコネクタ。
【発明の詳細な説明】
【技術分野】
【０００１】
本発明は、一方の端子と他方の端子とを電気的に接続する構造、すなわち端子接続構造に関する。また、端子接続構造を採用するコネクタに関する。
【背景技術】
【０００２】
電線同士を電気的に接続するためには、一方の電線端末に雄型の端子金具を取り付けるとともに、他方の電線端末にも雌型の端子金具を取り付けることが一般的であり、これら端子金具同士を接触させると、電気的な接続が完了する。
【０００３】
下記特許文献１には、雌型及び雄型の端子金具の構造が開示される。以下、雌型の端子金具の構造と、接続相手となる雄型の端子金具の構造、さらには、端子金具同士の接続構造（作用）について説明をする。
【０００４】
図７及び図８において、引用符号１は雌型端子金具、引用符号２は雄型端子金具をそれぞれ示す。雌型端子金具１は、雌型電気接触部３と、電線接続部（図示省略）とを有し、雌型電気接触部３は、下壁４と、台部５と、一対の弾性接触片６とを有する。下壁４は、底板となる部分であって、電線接続部へと続くように形成される。台部５は、下壁４を上方へ台状に突出させることにより形成される。台部５は、この上面が平坦に形成される。
【０００５】
一対の弾性接触片６は、下壁４の左右両側に連成される。また、一対の弾性接触片６は、それぞれ先端７が内側へ巻き込まれるようなカール形状に形成される。一対の弾性接触片６は、弾力性（バネ性、バネ構造）を有し、それぞれの先端７は、雄型端子金具２に対する摺接部分及び接触部分として形成される。
【０００６】
雄型端子金具２は、雄型電気接触部８と、電線接続部（図示省略）とを有する。雄型電気接触部８は、平面視帯状となる棒形状に形成される。上面９及び下面１０は、平坦に形成される。雄型電気接触部８は、この厚みが弾性接触片６の先端７と台部５との間隔よりも大きくなるように形成される。
【０００７】
上記構造において、端子金具同士を電気的に接続するには、雄型電気接触部８を一対の弾性接触片６の先端７と台部５との間に挿入する。この時、一対の弾性接触片６は雄型電気接触部８の厚みにより押し広げられて弾性変形する。また、雄型電気接触部８は、一対の弾性接触片６からの接圧を受ける。雄型電気接触部８は、この上面９及び下面１０が一対の弾性接触片６の先端７、及び台部５に対し摺接しながら雌型電気接触部３の奥部へと押し込まれる。そして、所定位置まで雄型電気接触部８が押し込まれると、端子金具同士の電気的な接続が完了する。
【０００８】
端子金具同士の電気的な接続は、直線的な挿入による接続である。雄型電気接触部８は、一対の弾性接触片６からの接圧を受けて保持され、この保持されたままの状態では抜け落ちることがないことから、電気的な接続は維持される。
【先行技術文献】
【特許文献】
【０００９】
【特許文献１】特開平９−５５２４７号公報
【発明の概要】
【発明が解決しようとする課題】
【００１０】
上記従来技術にあっては、一対の弾性接触片６の弾力性（バネ性、バネ構造）により雄型電気接触部８との接圧が保たれる。従って、雌型端子金具１を構成に含むコネクタと、雄型端子金具２を構成に含むコネクタとの嵌合時においては、上記接圧が大きい分、コネクタ同士の嵌合力や端子金具同士の挿入力も高くなるため、嵌合作業性が悪くなってしまうという問題点を有する。尚、この問題点を解消するには、例えばレバーのような倍力機構を別途設ける必要があることから、新たな問題点が生じてしまうことになる。
【００１１】
また、上記従来技術にあっては、接圧が高い状態で端子金具同士の接続を繰り返し行った場合に、接点部のメッキ剥がれが生じてしまうという懸念がある。
【００１２】
本発明は、上記した事情に鑑みてなされたもので、端子金具同士の電気的な接続に係る挿入力を低減して作業性の向上を図る端子接続構造と、この端子接続構造を採用するコネクタとを提供することを課題とする。
【課題を解決するための手段】
【００１３】
上記課題を解決するためになされた請求項１に記載の本発明は、一方の端子と他方の端子とを電気的に接続する構造であって、前記一方の端子は、基板部と、該基板部の側方に沿った折り曲げ側部と、該折り曲げ側部にて折り返されて前記基板部に対向する対向部とを有し、前記他方の端子は、電気接触部本体と、該電気接触部本体の側方に配置形成されて前記折り曲げ側部の端部が挿入される切欠部とを有し、前記折り曲げ側部の端部を前記切欠部に挿入した状態で前記一方の端子を前記基板部に沿って前記折り曲げ側部の端部を支点として相対的に回動することで、前記基板部と前記対向部との間に前記電気接触部本体を挟持することを特徴とする。
【００１４】
このような特徴を有する本発明によれば、一方の端子と他方の端子とを電気的に接続するにあたり、直線的に挿入して接続するのではなく、てこの原理を用いて接続する。
【００１５】
請求項２に記載の本発明は、請求項１に記載の端子接続構造において、前記基板部或いは前記対向部と、前記電気接触部本体のいずれか一方に面方向に突出する凸部を有し、いずれか他方には前記凸部に係合する凹部を有することを特徴とする。
【００１６】
このような特徴を有する本発明によれば、凸部と凹部との係合により、接圧を高めなくても、一方の端子と他方の端子との抜けが防止される。また、凸部と凹部との係合により、電気的な接続の完了位置が分かるようにもなる。
【００１７】
請求項３に記載の本発明は、請求項１又は２に記載の端子接続構造において、前記対向部は、前記折り曲げ側部の端部よりその延出方向に沿って後方へ向かうに従って徐々に拡幅する形状に形成されることを特徴とする。
【００１８】
このような特徴を有する本発明によれば、折り曲げ側部の端部を切欠部に挿入するまで、さらには、折り曲げ側部の端部を支点として一方の端子を相対的に回動する前まで、基板部と対向部とによる電気接触部本体の挟持が行われない。従って、電気的な接続以外は余分な力を掛ける必要がない。
【００１９】
また、上記課題を解決するためになされた請求項４に記載の本発明のコネクタは、請求項１、２又は３に記載の端子接続構造に採用される導電性の一方の端子及び他方の端子と、前記一方の端子及び前記他方の端子をそれぞれ覆う絶縁性の一方のハウジング及び他方のハウジングとを含み、前記一方のハウジング及び前記他方のハウジングは、前記一方の端子及び前記他方の端子の電気的な接続のための回転機構を有することを特徴とする。
【００２０】
このような特徴を有する本発明によれば、てこの原理を用いて一方の端子と他方の端子とを電気的に接続するにあたり、一方のハウジング及び他方のハウジングに回転機構を持たせる。
【発明の効果】
【００２１】
請求項１に記載された本発明によれば、てこの原理を用いて端子金具同士を接続することから、電気的な接続に係る挿入力を従来よりも低減することができるという効果を奏する。これにより、作業性の向上を図ることができるという効果も奏する。また、本発明によれば、例えばレバーのような倍力機構を別途設けなくてもよく、部品点数の増大を抑えることができるという効果も奏する。
【００２２】
請求項２に記載された本発明によれば、請求項１の効果に加え次のような効果も奏する。すなわち、端子金具の抜けを防止して電気的な接続を維持することができるという効果や、接続完了位置を分かり易くすることができるという効果を奏する。さらには、端子金具の抜けを防止できることから、必要最低限の接圧を確保すればよいという効果も奏する。また、接圧を低くすることで、接点部のメッキ剥がれを起こり難くすることができるという効果も奏する。
【００２３】
請求項３に記載された本発明によれば、電気的な接続に係る作業性を更に向上させることができるという効果を奏する。
【００２４】
請求項４に記載された本発明によれば、一方のハウジング及び他方のハウジングに回転機構を持たせることから、請求項１、２又は３の端子接続構造を含んでコネクタを構成することができるという効果を奏する。これにより、電気的な接続に係る挿入力を従来よりも低減することができ、以てコネクタとしての作業性向上を図ることができるという効果も奏する。
【図面の簡単な説明】
【００２５】
【図１】本発明の端子接続構造を示す斜視図である（実施例１）。
【図２】図１の端子接続構造の側面図である。
【図３】接続前の状態を示す図である。
【図４】接続開始時の状態を示す図である。
【図５】接続完了時の状態を示す図である。
【図６】本発明のコネクタを示す図であり、（ａ）は構成図、（ｂ）はハウジングの斜視図、（ｃ）はハウジング嵌合開始時の図である（実施例２）。
【図７】従来例の端子接続構造を示す斜視図である。
【図８】図７のＡ−Ａ線断面図である。
【発明を実施するための形態】
【００２６】
端子接続構造は、一方の端子と他方の端子とを電気的に接続するにあたり、てこの原理を用いて接続する構造である。
【実施例１】
【００２７】
以下、図面を参照しながら実施例１を説明する。図１は本発明の端子接続構造を示す斜視図である。また、図２は図１の端子接続構造の側面図、図３は接続前の状態を示す図、図４は接続開始時の状態を示す図、図５は接続完了時の状態を示す図である。
【００２８】
図１及び図２において、電気的な接続をするため、雌型端子金具２１（一方の端子）と雄型端子金具２２（他方の端子）とを備え、これら雌型端子金具２１と雄型端子金具２２とを接触させる。先ず、雌型端子金具２１の構造について説明をする（雌型端子金具２１の説明の後に、雄型端子金具２２の構造について説明をするものとする）。
【００２９】
雌型端子金具２１は、電線２３の端末に取り付けられる。ここで電線２３について説明をすると、電線２３は導体２４と絶縁体２５とを備えて構成される。導体２４は、導電性を有する多数の素線を束ねたもの、或いは単心線であって、銅や銅合金、アルミニウム、アルミニウム合金からなる。絶縁体２５は、導体２４を覆う絶縁性の被覆であって、ポリエチレン系樹脂、ポリプロピレン系樹脂、ポリ塩化ビニル樹脂等の押出成形により、断面形状が円形に形成される。
【００３０】
電線２３は、太物の高圧電線や一般的な低圧電線のいずれであってもよいものとする。本実施例においては、太物の高圧電線が採用される。高圧電線である電線２３は、例えばハイブリッド自動車や電気自動車等の移動体における所定位置に配索される。電線２３は、この端末が次のように加工される。すなわち、所定長さで絶縁体２５が除去され、導体２４が露出するように加工される。露出した導体２４には、雌型端子金具２１が圧着により取り付けられる。
【００３１】
雌型端子金具２１は、導電性を有する金属板をプレス加工することにより図示形状に形成される（図示形状は一例であるものとする）。また、雌型端子金具２１は、電気接触部２６と、電線接続部２７とを一体に有して図示形状に形成される。本実施例の雌型端子金具２１は、この全体にメッキが施されるものとする。尚、雌型端子金具２１の材質は、導体２４との接続性が良ければ特に限定されないものとする。
【００３２】
電気接触部２６は、雄型端子金具２２への挿入部分として形成される。このような電気接触部２６は、本実施例において一般的な雌型の電気接触部（例えば箱形の電気接触部）とは異なる形状に形成される。具体的には、基板部２８と、折り曲げ側部２９と、対向部３０とを有する。また、基板部２８と対向部３０との間に挿入空間３１を有する。対向部３０は、片持ちの部分になるように形成される。
【００３３】
基板部２８は、平板状であって、雄型端子金具２２の後述する電気接触部３９の平面視形状に合わせて形成される。基板部２８の所定位置には、下面３２から上面３３へ向けて、すなわち面方向へ打ち出される凸部３４が形成される。この凸部３４は、電気接触部３９の後述する凹部４６に合わせて配置形成される。凸部３４は、本実施例において略半球状となる形状に突出形成される（形状は一例であるものとする）。凸部３４は、この突出高さが電気接触部２６と電気接触部３９との挿入性に配慮して適宜設定されるものとする。尚、凸部３４は、基板部２８に形成されてもよいものとする（その場合、突出方向は上記と逆になる）。
【００３４】
折り曲げ側部２９は、基板部２８の左側部（側方）を立ち上げるように折り曲げて形成される。折り曲げ側部２９は、雄型端子金具２２の後述する電気接触部３９の厚みに合わせて立ち上げるように形成される。このような折り曲げ側部２９は、電気接触部３９の当接部分としても（回転を規制する部分としても）形成される。
【００３５】
折り曲げ側部２９は、本実施例において、電線接続部２７の側へのびて（側方に沿って延出する）回転規制部３５が一体になるように形成される。回転規制部３５は、左側の壁となるような形状に形成される。尚、回転を規制する部分として、折り曲げ側部２９のみで十分な場合には、回転規制部３５の形成は不要であるものとする。
【００３６】
折り曲げ側部２９や対向部３０の配置は、上記のような基板部２８の左側部に限らず、右側部であってもよいものとする（例えば、ネジの締結などは時計回りで締め付け状態になることから、本実施例においても時計回りで接続が完了するように配置される）。
【００３７】
対向部３０は、挿入空間３１の分だけ間をあけて基板部２８に対向する板状の部分として形成される。また、対向部３０は、基板部２８に向けて雄型端子金具２２の後述する電気接触部３９（電気接触部本体４０）を押さえ付ける部分や挟持する部分としても形成される。尚、対向部３０は、十分な押さえつけをすることができれば、図示形状に限定されないものとする。また、電気的な接続をすることができれば、図示形状に限定されないものとする。
【００３８】
対向部３０は、折り曲げ側部２９の端部３６から後方へ向かうに従って、言い換えれば折り曲げ側部２９の延出方向に沿い後方へ向かうに従って、徐々に拡幅する形状に形成される（図示形状は一例であるものとする）。このような対向部３０は、斜め縁部３７を有し、斜め縁部３７には、後述する電気接触部３９との挿入性を高めるための案内部分が形成される（図示省略。例えばテーパ等の部分として形成される。尚、電気接触部３９との間で引っ掛かりが生じなければ形成しなくともよいものとする）。
【００３９】
一方、電線接続部２７は、電線２３との接続部分として（取り付け部分として）形成される。電線接続部２７は、本実施例において導体２４を圧着することができる形状を有するように形成される。具体的には、一対の導体加締め片３８（ワイヤバレル）を有するように形成される。
【００４０】
尚、電線２３の絶縁体２５を加締めて保持する被覆加締め片（インシュレーションバレル）を更に有する形状に形成してもよいものとする。本実施例においては、圧着により電線２３との接続を図る構造であるが、これに限らず、圧接や溶接による公知の構造を採用してもよいものとする。
【００４１】
次に、雄型端子金具２２の構造について説明をすると、雄型端子金具２２は、導電性を有する金属板をプレス加工することにより図示形状に形成される（図示形状は一例であるものとする）。ここでは、少なくとも電気接触部３９を有する。雄型端子金具２２は、雌型端子金具２１と同じ材質からなるものとする。
【００４２】
雄型端子金具２２は、雌型端子金具２１と同様に電線接続部を更に有して電線の端末に取り付けられる。或いは、電気接触部３９のみで、公知のバスバーの端末に一体に設けられる。
【００４３】
電気接触部３９は、平板状に形成される。このような平板状の電気接触部３９は、電気接触部本体４０と、切欠部４１と、側方凸部４２と、これらが連続する基部４３とを有する。
【００４４】
電気接触部本体４０は、雌型端子金具２１の電気接触部２６が挿入される被挿入部分として形成される。また、電気接触部本体４０は、電気接触部２６の挿入に伴い、基板部２８と対向部３０とにより挟持される部分としても形成される。
【００４５】
電気接触部本体４０は、帯板状、或いはタブ状に形成される。電気接触部本体４０は、この左側壁４４及び右側壁４５が真っ直ぐ且つ平行にのびるように形成される。左側壁４４は、雌型端子金具２１の折り曲げ側部２９及び回転規制部３５が当接する部分として形成される。
【００４６】
電気接触部本体４０の所定位置には、凹部４６が貫通形成される。この凹部４６は、上面４７及び下面４８を円形に貫通するように形成される。凹部４６は、雌型端子金具２１の凸部３４が係合する部分として形成される。
【００４７】
切欠部４１は、左側壁４４の基端部分と、側方凸部４２との間に配置形成される。また、切欠部４１は、凹状となる形状に形成される。このような切欠部４１は、雌型端子金具２１における折り曲げ側部２９の端部３６に対する被挿入部分として形成される。また、切欠部４１は、雌型端子金具２１と雄型端子金具２２との電気的な接続における雌型端子金具２１の回転支持や受け部分として機能するようにも形成される。切欠部４１及び側方凸部４２は、電気接触部本体４０に比べ小さな部分となるように形成される。
【００４８】
次に、てこの原理を用いて雌型端子金具２１と雄型端子金具２２との電気的な接続に係る構造について説明をする。
【００４９】
図３及び図４において、（１）雌型端子金具２１を左側に傾けた状態で、この雌型端子金具２１を雄型端子金具２２の上方に配置（図３参照）する。（２）上方に配置した状態から雌型端子金具２１を下方へ移動させて、雌型端子金具２１における折り曲げ側部２９の端部３６を雄型端子金具２２の切欠部４１に差し込むような状態に配置（図４参照）する。（３）例えば電線２３を持ちつつ電線接続部２７を矢印Ｐ方向へ移動させるように雌型端子金具２１を回動させると、すなわち、折り曲げ側部２９の端部３６を支点として相対的に回動させると、図５に示す如く、雌型端子金具２１における電気接触部２６の基板部２８と対向部３０とが雄型端子金具２２における電気接触部３９の電気接触部本体４０に挿入される。電気接触部本体４０は、基板部２８と対向部３０とにより挟持される。
【００５０】
上記の如く、折り曲げ側部２９の端部３６を支点として相対的に回動させることから、てこの原理を用いての電気的な接続になることが分かる。てこの原理を用いることで、雌型端子金具２１と雄型端子金具２２との電気的な接続は、比較的小さな力で行うことができる。
【００５１】
電気接触部本体４０の左側壁４４に対し、雌型端子金具２１の折り曲げ側部２９及び回転規制部３５が当接するまで、雌型端子金具２１を回動移動させると、電気接触部本体４０の凹部４６に雌型端子金具２１の凸部３４が落ち込んで係合状態が形成される。凸部３４と凹部４６との係合により、フィーリングで電気的な接続の完了位置が分かるようになる。また、雌型端子金具２１と雄型端子金具２２との抜けが防止されるようにもなる。抜けが防止されれば、雌型端子金具２１と雄型端子金具２２との電気的な接続は、必要最低限の接圧を確保できればよいことになる。
【００５２】
以上、図１ないし図５を参照しながら説明してきたように、てこの原理を用いて雌型端子金具２１と雄型端子金具２２とを電気的に接続することから、この電気的な接続に係る挿入力を従来よりも低減することができるという効果を奏する。これにより、作業性の向上を図ることができるという効果も奏する。
【００５３】
この他、上記の如く、凸部３４と凹部４６との係合により、雌型端子金具２１と雄型端子金具２２との抜けを防止することができるという効果も奏する。従って、電気的な接続を維持することができるという効果や、接続完了位置を分かり易くすることができるという効果も奏する。また、雌型端子金具２１と雄型端子金具２２との抜けを防止できることから、接圧の確保は必要最低限でよいという効果も奏する。さらには、接圧を低くすることで、電気的な接続を繰り返し行った場合であっても、接点部のメッキ剥がれを起こり難くすることができるという効果も奏する。
【００５４】
本実施例においては、図３及び図４に示す如く、折り曲げ側部２９の端部３６を切欠部４１に挿入するまで、また、折り曲げ側部２９の端部３６を支点として雌型端子金具２１を相対的に回動する前まで、基板部２８と対向部３０とによる電気接触部本体４０の挟持が行われないことから、言い換えれば、対向部３０の形状が上記の如く後方へ向かうに従って徐々に拡幅する形状に形成され、この形状により電気接触部本体４０との接触抵抗がゼロ、若しくは非常に小さくなることから、電気的な接続を行う際の回動以外は余分な力を掛ける必要がなくなり、結果、電気的な接続に係る作業性を更に向上させることができるという効果も奏する。
【実施例２】
【００５５】
以下、図面を参照しながら実施例２を説明する。図６は本発明のコネクタを示す図であり、（ａ）は構成図、（ｂ）はハウジングの斜視図、（ｃ）はハウジング嵌合開始時の図である。尚、上記実施例１と基本的に同じ構成部材には同一の符号を付して詳細な説明を省略する。
【００５６】
図６において、電気的な接続をするため、コネクタ６１が用いられる。コネクタ６１は、一方のコネクタ６２と、他方のコネクタ６３とを備えて構成される。一方のコネクタ６２は、電線２３の端末に設けられる。また、他方のコネクタ６２は、電線６４の端末に設けられる。電線６４は、ここでは電線２３と同じであるものとする。
【００５７】
一方のコネクタ６２は、実施例１の雌型端子金具２１（一方の端子）と、絶縁性の一方のハウジング６５とを備えて構成される。一方のハウジング６５は、雌型端子金具２１を覆う矩形の箱形状に形成される。一方のハウジング６５は、後述する他方のハウジング６７よりも大きく形成される（他方のハウジング６７に嵌合しつつ回転を許容するため）。
【００５８】
一方のハウジング６５の端部は、他方のコネクタ６２との嵌合部分として開口形成される。この開口部分の奥には、雌型端子金具２１が収容配置される。開口部分の上下には、Ｕ字状のスリットを有する一方の回転機構６６がそれぞれ形成される（一方の回転機構６６の形状は一例であるものとする）。
【００５９】
他方のコネクタ６２は、実施例１の雄型端子金具２２（他方の端子）と、絶縁性の他方のハウジング６７とを備えて構成される。他方のハウジング６７は、雄型端子金具２２を覆う矩形の箱形状に形成される。他方のハウジング６７の端部は、一方のコネクタ６１との嵌合部分として開口形成される。
【００６０】
他方のハウジング６７の開口部分の奥には、雄型端子金具２２が収容配置される。また、他方のハウジング６７の上面及び下面の所定位置には、ピン形状となる他方の回転機構６８がそれぞれ突出形成される（他方の回転機構６８の形状は一例であるものとする）。
【００６１】
上記構成及び構造において、（１）一方のコネクタ６２と他方のコネクタ６３との嵌合を開始すると、一方のハウジング６５における一方の回転機構６６と、他方のハウジング６７における他方の回転機構６８とが係合する。この時、一方のハウジング６５は、他方のハウジング６７に対し回転可能な状態になる。また、コネクタ内部においては、図４に示す如くの状態になる。
【００６２】
（２）一方の回転機構６６と他方の回転機構６８とを中心に一方のコネクタ６２を矢印Ｑ方向へ回転移動させると、コネクタ内部においては、図５に示す如くの状態になる。すなわち、てこの原理を用いて雌型端子金具２１と雄型端子金具２２との電気的な接続が完了する。
【００６３】
以上、図６を参照しながら説明してきたように、コネクタ６１における電気的な接続は、てこの原理を用いて比較的小さな力で行われることから、作業性がよいという効果を奏するのは勿論のこと、公知のレバーのような倍力機構を別途設けなくてもよいという効果も奏する（部品点数の増大を抑えることができるという効果も奏する）。
【００６４】
この他、本発明は本発明の主旨を変えない範囲で種々変更実施可能なことは勿論である。
【００６５】
例えば、雌型端子金具２１の構造と、雄型端子金具２２の構造とを逆にすることが一例として挙げられる。
【符号の説明】
【００６６】
２１…雌型端子金具（一方の端子）、  ２２…雄型端子金具（他方の端子）、  ２３…電線、  ２４…導体、  ２５…絶縁体、  ２６…電気接触部、  ２７…電線接続部、  ２８…基板部、  ２９…折り曲げ側部、  ３０…対向部、  ３１…挿入空間、  ３２…下面、  ３３…上面、  ３４…凸部、  ３５…回転規制部、  ３６…端部、  ３７…斜め縁部、  ３８…導体加締め片、  ３９…電気接触部、  ４０…電気接触部本体、  ４１…切欠部、  ４２…側方凸部４２、  ４３…基部、  ４４…左側壁、  ４５…右側壁、  ４６…凹部、  ４７…上面、  ４８…下面、  ６１…コネクタ、  ６２…一方のコネクタ、  ６３…他方のコネクタ、  ６４…電線、  ６５…一方のハウジング、  ６６…一方の回転機構（回転機構）、  ６７…他方のハウジング、  ６８…他方の回転機構（回転機構）
【図１】
2015050130.tif 000003
【図２】
2015050130.tif 000004
【図３】
2015050130.tif 000005
【図４】
2015050130.tif 000006
【図５】
2015050130.tif 000007
【図６】
2015050130.tif 000008
【図７】
2015050130.tif 000009
【図８】
2015050130.tif 000010